(57)【要約】      （修正有）【課題】家庭用浴槽の蒸気を利用し、かつ、蒸気に含まれる塩素成分の弊害をなくすと同時に、積極的な美肌、美髪効果をもたらす処置を実現する、操作性に優れたスチーム入浴用幌を提供する。【解決手段】家庭用浴槽の蒸気を集約し、顔肌、頭髪に蒸気を当てることにより美肌、美髪効果を得るスチーム入浴用幌であって、形状記憶合金製の箱型フレームの側面４面に、蒸気を集約し、かつ、蒸気の温度で、遠赤外線、マイナスイオン効果をもたらす材質を付加した側面生地３を配設し、天面に通気性のよい通気性布４を配設してスチーム入浴用幌を構成する。【選択図】図５
0003155225.tif 000002
【実用新案登録請求の範囲】
【請求項１】
家庭用浴槽の蒸気を集約し、顔肌、頭髪に蒸気を当てることにより美肌、美髪効果を得るスチーム入浴用幌であって、形状記憶合金製の箱型フレームの側面４面に、蒸気を集約し、かつ、蒸気の温度で、遠赤外線、マイナスイオン効果をもたらす材質を付加した側面生地を配設し、天面に通気性のよい通気性布を配設したことを特徴とするスチーム入浴用幌。
【請求項２】
前記遠赤外線、マイナスイオン効果をもたらす材質にゲルマニウムを採用し、側面生地への織り込みあるいは塗布による方法によって、側面生地への付加することを特徴とする請求項１に記載のスチーム入浴用幌。
【請求項３】
前記「箱型側面４面に配設した側面生地」ならびに「天面に配設した通気性布」の通気性の程度は、「箱型側面４面に配設した側面生地」より「天面に配設した通気性布」が大であること、を特徴とする請求項１乃至２に記載のスチーム入浴用幌。
【請求項４】
前記天面の外側対角線上に持ち運び用上部持ち手、箱型フレームの側面４面のうち、左右２面の内側下部には、内部から操作が可能な内部持ち手を各々配設したことを特徴とする請求項１乃至３に記載のスチーム入浴用幌。
【請求項５】
前記箱型側面４面ならびに前記天面の組合せ部の各隙間には、隙間生地を配設し、かつ、前記箱型側面４面の前後２面の下端には幅狭のヒダ、左右２面の下端には幅広のヒダを配設し、蒸気の漏れを防止したことを特徴とする請求項１乃至４に記載のスチーム入浴用幌。
【考案の詳細な説明】
【技術分野】
【０００１】
本考案は、家庭用浴槽から出る蒸気を幌で集約し、顔肌、頭髪に蒸気を当てることにより美肌、美髪効果を得るものに関する。
【背景技術】
【０００２】
一般に、美肌、美髪効果をもたらすために、顔や頭髪に蒸気を当て、潤いをもたらす美容処置が行なわれているが、何れも、エステ等の専門の業種に負うところが多く、家庭で手軽に前記エステと同等の効果を得る美肌、美髪処置を行なうことができなかった。
一方、上記の家庭で手軽にエステと同等の効果を得る為の方策として、浴槽に蝿帳と同等の幌をかけ、浴槽の蒸気を幌で集めて、顔および頭髪に当てるという公知例がある。（特許文献１）これによると、浴槽の蒸気を幌で集めて滞留させ、顔および頭髪に当てることによって美肌、美髪を得ようとするものであり、滞留した蒸気は、幌の側面の一部に設けた通気孔から排出させる構造である。
しかしながら、この方法は、通常の浴槽の蒸気、水道水に混入する塩素が混じった蒸気によるものである。塩素が混入する蒸気では、美肌、美髪に悪影響のおそれがある。
公知例では幌の骨格は、蝿帳方式を採用しており、人が入る部分に蝿帳の金属の骨格部が出ている構成であるため、リラックス感を損なうものであった。
【先行技術文献】
【特許文献】
【０００３】
【特許文献１】特開２００５−０２１６４７号
【考案の概要】
【考案が解決しようとする課題】
【０００４】
本発明は、前記背景技術における問題点を解決するために、家庭用浴槽の蒸気を利用し、かつ、蒸気に含まれる塩素成分の弊害をなくすと同時に、積極的な美肌、美髪効果をもたらす処置を実現するものである。また、構造においては、操作性に優れたスチーム入浴用幌を実現するものである。
【課題を解決するための手段】
【０００５】
本考案の１つ目の考案は、家庭用浴槽の蒸気を集約し、顔肌、頭髪に蒸気を当てることにより美肌、美髪効果を得るスチーム入浴用幌であって、形状記憶合金製の箱型フレームの側面４面に、蒸気を集約し、かつ、蒸気の温度で、遠赤外線、マイナスイオン効果をもたらす材質を付加した側面生地を配設し、天面に通気性のよい通気性布を配設したスチーム入浴用幌である。
【０００６】
２つ目の考案は、前記１つ目の考案に付加して、前記遠赤外線、マイナスイオン効果をもたらす材質が、ゲルマニウムであり、側面生地への付加は、側面生地への織り込みあるいは塗布を施したスチーム入浴用幌である。
【０００７】
３つ目の考案は、前記１乃至２つ目の考案に付加して、前記箱型側面４面に配設した側面生地ならびに天面に配設した通気性布の通気性の程度は、「箱型側面４面に配設した側面生地」よりも「天面に配設した通気性布」が大である、としたスチーム入浴用幌である。
【０００８】
４つ目の考案は、前記１乃至３つ目の考案に付加して、前記天面の外側対角線上に持ち運び用上部持ち手、箱型フレームの側面４面のうち、左右２面の内側下部には、内部から操作が可能な内部持ち手を各々配設したスチーム入浴用幌である。
【０００９】
５つ目の考案は、前記１乃至４つ目の考案に付加して、前記箱型側面４面ならびに前記天面の組合せ部の各隙間には、上面隙間生地ならびに下面隙間生地を配設し、かつ、前記箱型側面４面の前後２面の下端には幅狭のヒダ、左右２面の下端には幅広のヒダを配設し、蒸気の漏れを防止したスチーム入浴用幌である。
【考案の効果】
【００１０】
本考案を実施することにより、つぎの効果を達成することができる。
１．通気性のよい通気性布を天面に配設したことにより、蒸気がスチーム入浴用幌の下方向から上方向に流れ、蒸気の不要な滞留がなく、顔面、頭髪、頭皮に蒸気の効果を多く得る事が出来る。
２．側面生地・ヒダの素材を多少通気性のある布地にしたことにより、スチーム入浴用幌内の温度が短時間で上がり過ぎず、その結果、ゆったりと全身を暖め、またその布地を半透明にすることで更にリラックス効果のある蒸気温浴が楽しめる。
３．その結果、蒸気使用後は顔面、頭皮の毛穴が開きその後の洗顔、洗髪により更に美肌・美髪へ導くことが出来る。
４．また、側面生地・ヒダの材質にマイナスイオン、遠赤外線効果を持つゲルマニウム加工の生地を使用することで、スチーム入浴用幌内の温度の上昇によってマイナスイオン、遠赤外線の効果を発揮し、顔面・頭皮:頭髪に新陳代謝の促進・保湿等の結果が得られる。
さらに、天面通気性布・側面生地・ヒダ・持ち手を含む幌全体に、ナノ撥水加工を施すことにより、水・油・泥・シミ等のあらゆる汚れからスチーム入浴用幌全体を保護することが出来る。なお、ナノ撥水加工は加工前の生地が持つ効果（マイナスイオン、遠赤外線効果等）を損なうことが無い。
５．箱型フレームは、錆びない形状記憶合金を使用し折り畳みが可能、軽量で持ち運びに便利になり、使用の際は、形状記憶合金の部分は布地で被われているので、使用者に金属部分が見えない形状であり、浴室での使用に適している。
６．箱型側面４面前部の下端のヒダを短くする事により、浴槽内部の蒸気をより多く取り入れる事が出来る。
７．箱型側面４面の後部の下端のヒダを短くする事により取り外しの際、ヒダの雫等が頭部に垂れるのを、軽減できる。
８．前記天面の外側対角線上の持ち手、ならびに内部から操作が可能な内部持ち手を配設することにより、スチーム入浴用幌の設置、取り外し等の操作が容易になる。
【図面の簡単な説明】
【００１１】
【図１】本考案の実施状態を示した一実施例である。
【図２】本考案の実施状態を示した一実施例であり、家庭風呂における使用方法を示すものである。
【図３】本考案の箱型フレームの側面、側面生地等の構成を示した展開図である。
【図４】本考案の側面生地、天面の通気性布の形状の一実施例である。
【図５】本考案の箱型フレームに配設する側面生地、通気性布他の一実施例である。
【考案を実施するための形態】
【００１２】
本考案は、家庭用浴槽の蒸気を集約し、顔肌、頭髪に蒸気を当てることにより美肌、美髪効果を得るスチーム入浴用幌であって、形状記憶合金製の箱型フレームの側面４面に、蒸気を集約し、かつ、蒸気の温度で、遠赤外線、マイナスイオン効果をもたらす材質を付加した側面生地を配設し、天面に通気性のよい通気性布を配設したスチーム入浴用幌である。
また、箱型フレームの側面４面に配設した、蒸気を集約し、かつ、蒸気の温度で、遠赤外線、マイナスイオン効果をもたらす側面生地には、織り込み、あるいは、塗布によってゲルマニウムを付加する。
さらに、箱型フレームの天面の通気性布は、浴槽からの蒸気がスチーム入浴用幌の下方向から上方向に流れ、蒸気の不必要な滞留がないように配設する。
これにあわせて、「側面生地」ならびに「天面に配設した通気性布」の通気性の程度は、「箱型側面４面に配設した側面生地」よりも「天面に配設した通気性布」が大である、となるように設定する。
一方、天面の外側対角線上に持ち運び用の上部持ち手、箱型フレームの側面４面のうち、左右２面の内側下部に、内部から操作が可能な内部持ち手を配置し、スチーム入浴用幌の操作、取り扱い性を良くする。
また、蒸気の有効利用のために、前記箱型側面４面ならびに前記天面の組合せ部の各隙間に、上面隙間生地ならびに下面隙間生地を設け、かつ、前記箱型側面４面の前後２面の下端には幅狭のヒダ、左右２面の下端には幅広のヒダを配設し、蒸気の漏れを防止して家庭用の浴槽の蒸気を効率よく利用できるようにする。
【００１３】
使用方法を図２に示すが、図１ｂ）に示すように、浴槽内に入浴者が座位の姿勢（図示せず）で入浴し、浴槽２０の浴槽フタ２１を閉じ、浴槽フタ２１がない部分にスチーム入浴用幌１を設置する。ここで、２は箱型フレーム、３は側面生地（前面、右面、左面）、７は右ヒダ、８は前ヒダ、９は上部持ち手である。
【実施例１】
【００１４】
つぎに、スチーム入浴用幌１の実施例を、図３〜４を基に説明する。
図３は、スチーム入浴用幌１の展開図を示したものである。
箱型フレーム２の構成部品である前面２ａ、右面２ｃ、左面２ｂ、後面２ｄのフレームの４片を、隣り合う稜線を溶接等の金属間結合あるいは、側面生地による橋渡し（巻き込み縫製、又は別布で縫製）で結合し、完全な箱型フレーム２とする。箱型フレーム２は、矩形状でも良いが、浴槽からの蒸気を効率よく集約するために、望ましくは、本図のように四角錐の頂部周辺を削除した台形状が望ましい。
【００１５】
箱型フレーム２に関連付けして、スチーム入浴用幌１の全体構成部品との関連を説明すると、箱型フレーム２のフレーム２ａに通気性布４を取り付け、さらに、フレーム２ａ、２ｂ、２ｃ、２ｄ間の上部隙間に上部隙間生地６を取り付け、フレーム２ａ、２ｂ、２ｃ、２ｄ間の下部隙間に下部隙間生地５を取り付け、前面のフレーム２ａと後面のフレーム２ｄに、幅狭（幅５０ｍｍ）の前ヒダ、後ヒダ８を取り付ける。さらに、右面のフレーム２ｃと左面のフレーム２ｂに、幅広（幅１５０ｍｍ）の右ヒダ、左ヒダ７を取り付ける。フレーム２ａ、２ｂ、２ｃ、２ｄには、側面生地３ａ、３ｂ、３ｃ、３ｄを各々配置することから、側面生地３と通気性布４、上部隙間生地６、下部隙間生地５、前、後、右、左の各ヒダ８・７を、縫製あるいは接着によって一体化するものである。
【００１６】
ここで、上部隙間生地６、下部隙間生地５の詳細については、後述するが、箱型フレーム２の折り畳み収納を考慮して、若干のたるみを持たせた寸法とする。
また、前、後ヒダ８と左、右ヒダ７に幅の寸法差を設けるのは、前ヒダ８は浴槽フタ下の蒸気を遮ることがないように、後ヒダ８はスチーム入浴用幌１を取り外す際、浴槽の湯で濡れた後ヒダ８の雫が頭に垂れないように幅を狭くする。左、右ヒダ７は、湯の中に入る程度の幅広とし、左、右ヒダ７が浴槽の湯に接し、あるいは浸かり、浴室温度が２５度前後として、４２度前後の湯温と湯の蒸気の影響で、左、右ヒダ７および側面生地３の温度が、１分から２分経過で平均３４度以上になり、スチーム入浴用幌１内の蒸気が、より一層の遠赤外線・マイナスイオンの効果を発揮する。
【００１７】
側面生地３、通気性布４の具体的な形状について、図３を基に説明する。
側面生地３は、天地寸法が４００ｍｍ、横寸法が最大部で５５０ｍｍ、底部は５００ｍｍの形状の布である。この天地寸法、横寸法、底部寸法については、一例を示し、入浴者の体格、浴槽の寸法等によって適宜設定することができる。
また、通気性布４の側面生地３との接合部寸法を２４０ｍｍとしているが、側面生地３と同様の理由から通気性布の必要寸法が変わるため、適宜設定することができる。
【００１８】
つぎに、スチーム入浴用幌１に使用する布地の構成について、図４を基に説明する。
前述の側面生地３、通気性布４、前、後ヒダ８、左、右ヒダ７は、図４ａ）に示すように、各々を縫製あるいは接着によって、袋状に一体化する。この一体化したものを、前述の箱型フレーム２に被せ、スチーム入浴用幌１とするものである。
さらに、スチーム入浴用幌１の操作、取り扱い性をよくするために、通気性布４の上部に上部持ち手９を、左右の側面生地３の下部に、蒸気漏れを防止する右ヒダ、左ヒダを、さらに、左右面の側面生地３の内側下部に、２つの内部持ち手１０を縫製あるいは接着によって取り付ける。内部持ち手１０は、側面生地３に対して直接的に力がかかるため、側面生地３の横方向の全面に亘るように配置し、直接手が触れる部分には、手が入るような膨らみを持たせた状態で側面生地３に縫製あるいは接着によって取り付ける。
【００１９】
スチーム入浴用幌１に使用する布地の特性について説明する。
まず、使用する布地の通気性については、「箱型側面４面に配設した側面生地」よりも「天面に配設した通気性布」を大にするという条件を満たし、かつ、入浴者の入浴時間の好み等を考慮し、具体的な生地の粗さ（メッシュ）を適宜選択し決定する。
布地に対する加工は、側面生地３（好ましくは、上部隙間生地６、下部隙間生地５、前後ヒダ８、左右ヒダ７を含めて）には、ゲルマニウム処理を施し、４２度前後の湯温と湯の蒸気の影響で、布地の温度が３２℃以上になり遠赤外線、マイナスイオン効果を発揮できるようにする。
さらに、その上から、ナノ撥水加工処理を施し、水・油・泥・シミ等のあらゆる汚れから生地を保護するようにする。
【００２０】
つぎに、形状記憶合金で構成された箱型フレーム２と、側面生地３との取り付けについて説明する。
側面生地３の各周辺部を、前記寸法より長く作成して、余分な生地部を設け、余分な生地部、又は別布のバイヤステープ等で箱型フレーム２の各辺を巻き込んで縫製あるいは接着することによって、スチーム入浴用幌１を使用時に、入浴者からは箱型フレーム２が一切見えない構造とすることができる。
さらに、箱型フレーム２を形状記憶合金製としたことによって、箱型フレームは一体構造であるけれども、折りたたみ収納することができる。
【００２１】
以上の構成のスチーム入浴用幌とすることで、家庭用浴槽の蒸気を利用し、かつ、蒸気に含まれる塩素成分の弊害をなくすと同時に、積極的な美肌、美髪効果をもたらす処置を実現し、構造においては、操作性に優れたスチーム入浴用幌を実現する。
【符号の説明】
【００２２】
１  スチーム入浴用幌
２  箱型フレーム
３  側面生地
４  通気性布
５  下部隙間生地
６  上部隙間生地
７  右ヒダ、左ヒダ、（幅広ヒダ）
８  前ヒダ、後ヒダ、（幅狭ヒダ）
９  上部持ち手
１０  内部持ち手
１１  浴槽
１２  浴槽フタ
【図３】
0003155225.tif 000003
【図４】
0003155225.tif 000004
【図５】
0003155225.tif 000005
【図１】
0003155225.tif 000006
【図２】
0003155225.tif 000007
【手続補正書】
【提出日】平成21年8月30日(2009.8.30)
【手続補正１】
【補正対象書類名】実用新案登録請求の範囲
【補正対象項目名】全文
【補正方法】変更
【補正の内容】
【実用新案登録請求の範囲】
【請求項１】
家庭用浴槽の蒸気を集約し、顔肌、頭髪に蒸気を当てることにより美肌、美髪効果を得るスチーム入浴用幌であって、形状記憶合金製の箱型フレームの側面４面に、蒸気を集約し、かつ、蒸気の温度で、遠赤外線、マイナスイオン効果をもたらす材質を付加した側面生地を配設し、天面に通気性のよい通気性布を配設したことを特徴とするスチーム入浴用幌。
【請求項２】
前記遠赤外線、マイナスイオン効果をもたらす材質にゲルマニウムを採用し、側面生地への織り込みあるいは塗布による方法によって、側面生地への付加することを特徴とする請求項１に記載のスチーム入浴用幌。
【請求項３】
前記「箱型側面４面に配設した側面生地」ならびに「天面に配設した通気性布」の通気性の程度は、「箱型側面４面に配設した側面生地」より「天面に配設した通気性布」が大であること、を特徴とする請求項１または２に記載のスチーム入浴用幌。
【請求項４】
前記天面の外側対角線上に持ち運び用上部持ち手、箱型フレームの側面４面のうち、左右２面の内側下部には、内部から操作が可能な内部持ち手を各々配設したことを特徴とする請求項１乃至３のいずれか一項に記載のスチーム入浴用幌。
【請求項５】
前記箱型側面４面ならびに前記天面の組合せ部の各隙間には、隙間生地を配設し、かつ、前記箱型側面４面の前後２面の下端には幅狭のヒダ、左右２面の下端には幅広のヒダを配設し、蒸気の漏れを防止したことを特徴とする請求項１乃至４のいずれか一項に記載のスチーム入浴用幌。